(57)【要約】【課題】使用しないアナログプロセッサＩＣへの電源供給及び駆動を停止するとともに、並び替え回路は使用するアナログプロセッサＩＣ出力のみを並び替え処理することになりより処理時間を短縮することを目的とする。  【解決手段】複数のＣＣＤチップで構成されるコンタクトイメージセンサと、前記コンタクトイメージセンサにて読み取った画像データをＡ／Ｄ変換する複数のアナログプロセッサＩＣと、前記複数のアナログプロセッサＩＣから出力される画像データを１ラインの画像データとして並び替える並び替え回路を有する画像読取装置において、原稿サイズ検知結果により原稿領域外の画像データを処理するアナログプロセッサＩＣへの電源供給及び駆動を停止するとともに、前記並び替え回路は駆動するアナログプロセッサＩＣ出力のみを並び替え処理することで処理時間を短縮する。【選択図】図２
2007124074.tif 000002
【特許請求の範囲】
【請求項１】
複数のＣＣＤチップで構成されるコンタクトイメージセンサと、前記コンタクトイメージセンサにて読み取った画像データをＡ／Ｄ変換する複数のアナログプロセッサＩＣと、前記複数のアナログプロセッサＩＣから出力される画像データを１ラインの画像データとして並び替える並び替え回路を有する画像読取装置において、
原稿サイズ検知結果により原稿領域外の画像データを処理するアナログプロセッサＩＣへの電源供給及び駆動を停止するとともに、前記並び替え回路は駆動するアナログプロセッサＩＣ出力のみを並び替え処理することで処理時間を短縮することを特徴とする画像読取装置。
【請求項２】
前記コンタクトイメージセンサはｍ個のライン状に並んだＣＣＤチップで構成され、原稿突き当て側の１番目からｎ番目（１＜ｎ＜ｍ）のＣＣＤチップから出力された画像データは第１のアナログプロセッサＩＣに入力され、ｎ＋１番目からｍ番目のＣＣＤチップ出力は第２のアナログプロセッサＩＣに入力され、前記第１のアナログプロセッサＩＣは１番目からｎ番目のＣＣＤチップのＡ／Ｄ変換された画像データを前記第１のアナログプロセッサＩＣの設定によるタイミング（順序）で出力するとともに、前記第２のアナログプロセッサＩＣはｎ＋１番目からｍ番目のＣＣＤチップのＡ／Ｄ変換された画像データを前記第２のアナログプロセッサＩＣの設定によるタイミング（順序）で出力し、前記第１、第２のアナログプロセッサＩＣから出力された前記画像データは前記並び替え回路に入力され、前記並び替え回路では前記第１、第２のアナログプロセッサＩＣの設定によるタイミング（順序）で出力された画像データを１番目からｍ番目となるように並び替え、次段の画像処理回路へ１番目の画像データからｍ番目の画像データを順次出力することを特徴とする請求項１記載の画像読取装置。
【請求項３】
原稿台上の原稿領域が前記コンタクトイメージセンサの１番目からｎ番目のＣＣＤチップの範囲である場合、前記第２のアナログプロセッサＩＣへの電源供給及び駆動を停止させ、前記第１のアナログプロセッサＩＣのみを駆動するとともに、前記並び替え回路においては前記第２のアナログプロセッサＩＣから出力された画像データを並び替える部分は使用せず、前記第１のアナログプロセッサＩＣから出力された画像データを並び替える部分のみ使用し、次段の画像処理回路へ１番目の画像データからｎ番目の画像データを順次出力することを特徴とする請求項１又は２記載の画像読取装置。
【発明の詳細な説明】
【技術分野】
【０００１】
本発明は、デジタル複写機、スキャナ、ファクシミリ等の画像読み取り技術に関し、特に複数のＣＣＤチップにより構成されるコンタクトイメージセンサによる画像読み取りを行う画像読取装置に関するものである。
【背景技術】
【０００２】
従来、この種の画像読取装置で原稿サイズ検知動作に関連して装置での処理を変化させる方法には、原稿サイズ検知結果により原稿領域のみを光源で照射することで、高い分解能で且つ必要最小限の電力で原稿の読み取りを可能にする技術が知られている（特許文献１参照）。
【０００３】
又、読み取るべき原稿サイズに応じて、コンタクトガラスの光学特性を任意に制御する技術等も知られている（特許文献２参照）。
【特許文献１】特開２００２−２４７２９６号公報（第５頁、図４及び図５）
【特許文献２】特開平１１−１５５０４８号公報（第９頁、図１）
【発明の開示】
【発明が解決しようとする課題】
【０００４】
近年、高生産性が求められる市場向けの複写機においても、コンタクトイメージセンサ用いた画像読み取り装置が使われるようになっている。
【０００５】
しかしながら、コンタクトイメージセンサを用いた従来の画像読取装置では、コンタクトイメージセンサを構成する複数個のＣＣＤチップの各アナログ出力データをデジタル化するアナログプロセッサＩＣは多チャンネルに対応するものの、アナログプロセッサ独自の出力タイミング（順序）で各ＣＣＤチップのデジタルデータをシリアルで出力するという問題があった。
【０００６】
又、原稿サイズを判別した後も原稿領域外に該当するＣＣＤチップ出力を処理するアナログプロセッサＩＣを駆動させているという問題があった。
【０００７】
本発明は、このような問題を解決するためになされたものであり、原稿サイズ検知結果により原稿領域外の画像データを処理するアナログプロセッサＩＣへの電源供給及び駆動を停止することで省電力を達成するとともに、前記並び替え回路は駆動するアナログプロセッサＩＣ出力のみを並び替え処理することで処理時間を短縮することができる画像読取装置を提供することを目的とする。
【課題を解決するための手段】
【０００８】
上記目的を達成するため、本発明は、複数のＣＣＤチップで構成されるコンタクトイメージセンサと、前記コンタクトイメージセンサにて読み取った画像データをＡ／Ｄ変換する複数のアナログプロセッサＩＣと、前記複数のアナログプロセッサＩＣから出力される画像データを１ラインの画像データとして並び替える並び替え回路を有する画像読取装置において、原稿サイズ検知結果により原稿領域外の画像データを処理するアナログプロセッサＩＣへの電源供給及び駆動を停止するとともに、前記並び替え回路は駆動するアナログプロセッサＩＣ出力のみを並び替え処理することで処理時間を短縮することを特徴とする。
【発明の効果】
【０００９】
本発明によれば、使用しないアナログプロセッサＩＣへの電源供給及び駆動を停止することが可能になるとともに、前記並び替え回路は使用するアナログプロセッサＩＣ出力のみを並び替え処理することになり、処理時間を短縮することが可能となる。
【発明を実施するための最良の形態】
【００１０】
以下に本発明の実施の形態を添付図面に基づいて説明する。
【００１１】
図１は本発明に係る画像読取装置の基本構成を示す縦断面図である。
【００１２】
本発明に係る画像読取装置は、原稿給送装置１と原稿読み取り装置１９によって構成されていて、第１の読み取り部として原稿読み取り装置内の密着型イメージセンサ１３部と原稿とを相対的に移動させながら読み取り、第２の読み取り部として密着型イメージセンサ部２０と原稿とを相対的に移動させながら原稿上の情報を読み取る。密着型イメージセンサ部１３及び２０は図示しない光源であるＬＥＤアレイ、ロッドレンズアレイ及びコンタクトイメージセンサから構成されている。
【００１３】
原稿３は、原稿トレイ２にセットされる。原稿給紙ローラ４は分離パッド５と対になっていて、原稿３を１枚ずつ給送する。給送された原稿３は、中間ローラ対６で更に装置内に送られ、大ローラ８と第１従動ローラ９による搬送に渡され大ローラ８を回る形で第２従動ローラ１０による搬送が行われる。大ローラ８と第２従動ローラ１０で搬送される原稿は、流し読み原稿ガラス１２と原稿ガイド板１７の間を通り、ジャンプ台１８を経て再び大ローラ８と第３従動ローラ１１により搬送される。流し読み原稿ガラス１２と原稿ガイド板１７の間では原稿ガイド板１７の部材により原稿３は流し読み原稿ガラス１２に接触する形で搬送される。
【００１４】
原稿３が搬送される前に、第１、第２の読み取り部でシェーディングを行う。第１の読み取り部は基準白色板２２を読み取り、第２の読み取り部は基準白色部材の更新部２１における白色シートを読み取ることによってそれぞれ適正な白レベルを得る。
【００１５】
原稿３は流し読み原稿ガラス１２上を通過する際に、密着型イメージセンサ部１３により流し読み原稿ガラス１２に接している面を露光され、原稿３から反射してくる原稿画像情報を図示しないコンタクトイメージセンサにて電気信号として変換される。以上の過程で原稿３の第１面（おもて面）が読み取られる。
【００１６】
次に、大ローラ８と第３従動ローラ１１により搬送された原稿は原稿排紙ローラ対７方向へ搬送される過程で、密着型イメージセンサ部２０によって原稿３の第２面（うら面）を読み取り、その後、装置外に排出される。
【００１７】
図２は本発明の本発明の回路ブロック構成を説明する図である。
【００１８】
図２では原稿読み取り装置１９における画像読み取りを説明している。コンタクトイメージセンサ３０６は、３１０〜３２０のＣＣＤチップにより構成され、各ＣＣＤチップのアナログの画像データ出力をアナログプロセッサＩＣ３０５，３０８に出力する。ＣＣＤチップ３１０〜３１５の画像データは３０５のアナログプロセッサＩＣへ、３１６〜３２０の画像データは３０８のアナログプロセッサＩＣへ出力される。
【００１９】
又、コンタクトイメージセンサ３０６は、ＡＳＩＣ３０４にて駆動信号を与えられ駆動される。アナログプロセッサＩＣ３０５，３０８ではコンタクトイメージセンサから出力されたアナログ画像データをデジタル化し、ＡＳＩＣ３０４内の並び替え回路３０９へデジタル画像データを出力する。アナログプロセッサＩＣ３０５，３０８もＡＳＩＣ３０４にて駆動信号を与えられ駆動される。
【００２０】
並び替え回路３０９では、前記アナログプロセッサＩＣ３０５，３０８の設定によるタイミング（順序）で出力された画像データを１番目のＣＣＤチップ３１０の出力から１１番目のＣＣＤチップ３２０の出力が順序良く１ラインの画像データとなるように並び替える。並び替えられた画像データはＡＳＩＣ３０４内でシェーディング補正等を行われ、原稿読み取り装置外部へと出力される。
【００２１】
ＡＳＩＣ３０４は、バスライン等でＣＰＵ３０２と繋がり、ＣＰＵ３０２には副走査方向の原稿サイズを検知する副走査サイズ検知センサ３０７、ＲＡＭ３０３等が接続されている。又、主走査方向の原稿サイズの検知はコンタクトイメージセンサ３０６によって行われる。
【００２２】
図３は通常時の画像データの流れを説明する図である。
【００２３】
コンタクトイメージセンサ３０６は、ライン状に並んだ１１個のＣＣＤチップにより構成される。原稿台ガラス上の原稿突き当て側に該当する第１番目のＣＣＤチップから原稿読み取り装置手前側に該当する第１１番目のＣＣＤチップの出力画像データをそれぞれ１〜１１とする。アナログプロセッサＩＣ３０５では、第１番目から第６番目のＣＣＤチップが処理され、その出力は１→３→５→２→４→６の順となる。同様にアナログプロセッサＩＣ３０８では第７番目から第１１番目のＣＣＤチップが処理され、その出力は７→９→１１→８→１０→Ｘの順となる。
【００２４】
ＡＳＩＣ３０４内の並び替え回路３０９では、これらのアナログプロセッサＩＣ出力を順序良く第１番目から第１１番目の出力へと並び替え、１ラインの画像データとなるように繋げ、ＡＳＩＣ内の次回路へと送り出す。
【００２５】
図４は本発明の画像データの流れを説明する図である。
【００２６】
原稿台上の原稿サイズ検知結果により原稿サイズが原稿突き当て側に該当する第１番目のＣＣＤチップから第６番目のＣＣＤチップのセンサ範囲であった場合、アナログプロセッサＩＣ３０５のみを使用し、１→３→５→２→４→６の順で出力されるその出力画像データのみを３０９の並び替え回路内で順序良く第１番目から第６番目の出力へと並び替え、１ラインの画像データとなるように繋げ、ＡＳＩＣ内の次回路へと送り出す。この際、使用しないアナログプロセッサＩＣ３０８への電源供給を停止し、並び替え回路内３０９の並び替え処理もアナログプロセッサＩＣ３０５からの出力である６個のＣＣＤチップの画像データのみに対応したものとできるため、処理時間が短縮できる。
【００２７】
図５は本発明の設定処理を説明するフローチャートである。
【００２８】
先ず、原稿台上の原稿サイズを検知する（Ｓ５０１）。原稿サイズ検知結果により判定した原稿領域が、コンタクトイメージセンサ３０６の「第１番目〜第６番目のＣＣＤチップのセンサ範囲」か、「第７番目以降のＣＣＤチップのセンサ範囲」に被るか判断する（Ｓ５０２）。
【００２９】
原稿領域が「第１番目〜第６番目のＣＣＤチップのセンサ範囲」であった場合、使用しないアナログプロセッサＩＣ３０８への電源供給を停止する（Ｓ５０３）。続いて、ＡＳＩＣ３０４内の並び替え回路３０９での並び替え処理をアナログプロセッサＩＣ３０５出力のみに対応した処理となるように設定する（Ｓ５０４）。そして、原稿を読み取る（Ｓ５０５）。
【００３０】
原稿読み取りが終了したかモニタし（Ｓ５０６）、原稿読み取りが終了したら並び替え回路の設定をアナログプロセッサＩＣ３０５，３０８の両方に対応した設定へと戻す（Ｓ５０７）。最後にアナログプロセッサＩＣ３０８への電源供給を開始し、終了する。
【００３１】
原稿領域が「第７番目以降のＣＣＤチップのセンサ範囲」に被っていた場合は、何も行わず通常の原稿読み取りを行い、終了する。
【００３２】
尚、本実施の形態では、Ｓ５０８でアナログプロセッサＩＣ３０８への電源供給を開始したが、原稿読み取りや原稿サイズ検知時以外はアナログプロセッサＩＣへの電源供給を停止し、原稿読み取りや原稿サイズ検知時になって電源  供給を行う設定を取る原稿読み取り装置であれば、このステップは削除される。
【００３３】
又、本実施の形態では、原稿の読み取り手段として１１個のＣＣＤチップから構成されるコンタクトイメージセンサを用いているが、ＣＣＤチップの個数が幾つであっても複数のアナログプロセッサＩＣにてＣＣＤチップ出力を並列処理するような構成であれば問題ないことは言うまでもない。
【図面の簡単な説明】
【００３４】
【図１】本発明を実施した画像読取装置の概略断面図である。
【図２】本発明の回路ブロック構成を説明する図である。
【図３】通常時の画像データの流れを説明する図である。
【図４】本発明の画像データの流れを説明する図である。
【図５】本発明の設定処理を説明するフローチャートである。
【符号の説明】
【００３５】
１      原稿給送装置
２      原稿トレイ
３      原稿
４      原稿給紙ローラ
５      分離パッド
６    中間ローラ対
７    原稿排紙ローラ対
８    大ローラ
９    第１従動ローラ
１０    第２従動ローラ
１１    第３従動ローラ
１２    流し読み原稿ガラス
１３    密着型イメージセンサ部
１７    原稿ガイド板
１８    ジャンプ台
１９    原稿読み取り装置
２０    密着型イメージセンサ部
２１    基準白色部材更新部
３０２   ＣＰＵ
３０３   ＲＡＭ
３０４  ＡＳＩＣ
３０５  アナログプロセッサＩＣ
３０６  コンタクトイメージセンサ
３０７  副走査サイズ検知センサ
３０８  アナログプロセッサＩＣ
３０９  並び替え回路
３１０〜３２０  ＣＣＤチップ
【図１】
2007124074.tif 000003
【図２】
2007124074.tif 000004
【図３】
2007124074.tif 000005
【図４】
2007124074.tif 000006
【図５】
2007124074.tif 000007